【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  少なくとも１つのネットワークインターフェイスを有する無線通信装置のハンドオフを実行するための方法であって、
複数のネットワーク接続ポイントから構成される無線通信システムを設けるステップと、
前記無線通信装置を、第１のネットワーク接続ポイントに接続するステップと、
前記無線通信装置が、前記第１のネットワーク接続ポイントに収容されるエリアから第２のネットワーク接続ポイントに収容されるエリアへと移動した場合に、前記第１のネットワーク接続ポイントから前記第２のネットワーク接続ポイントへのハンドオフを実行し、前記第１のネットワーク接続ポイントと前記第２のネットワーク接続ポイントとが近接していることを示す近接関係情報を、近接関係データベースにおいて作成するステップと、
前記近接関係データベースを利用して、前記無線装置が、前記第２のネットワーク接続ポイントに収容されるエリアからアクセス可能な他のネットワーク接続ポイントを判定するステップと
を有することを特徴とする方法。
【請求項２】  前記近接関係データベースは、ネットワークオペレータサーバ上にあることを特徴とする請求項１に記載の方法。
【請求項３】  各ネットワーク接続ポイントは、前記無線通信装置をモニタリングする移動エージェントサーバに関連付けられている
ことを特徴とする請求項１に記載の方法。
【請求項４】  前記ハンドオフを、前記第２のネットワーク接続ポイントに関連する移動エージェントサーバに通知するステップをさらに有し、
前記移動エージェントサーバが前記通知を受信すると、前記近接関係情報が作成される
ことを特徴とする請求項１に記載の方法。
【請求項５】  前記移動エージェントサーバが、ネットワークオペレータサーバに、前記ハンドオフを通知する
ことを特徴とする請求項４に記載の方法。
【請求項６】  前記無線通信装置にはグローバルアドレスが割り当てられ、前記ハンドオフが実行されているとき、前記無線通信端末は、前記グローバルアドレスを前記移動エージェントサーバに登録する
ことを特徴とする請求項４に記載の方法。
【請求項７】  前記近接関係データベースは、ネットワークサービスオペレータにおいて保持され、前記登録の際には、前記移動エージェントサーバは、前記グローバルアドレスを前記ネットワークサービスオペレータに提供する
ことを特徴とする請求項６に記載の方法。
【請求項８】  いずれのネットワークインターフェイスをアクティブにしてよいかを前記無線通信装置に知らせるメッセージを、ネットワークオペレータサーバから送信するステップをさらに有する
ことを特徴とする請求項１に記載の方法。
【請求項９】  前記近接関係データベースは、前記複数のネットワーク接続ポイントのうち、各ネットワーク接続ポイントの接続性情報である
ことを特徴とする請求項１に記載の方法。
【請求項１０】  前記接続性情報は、前記無線通信装置が、前記第２のネットワーク接続ポイントからハンドオフ可能な各ネットワーク接続ポイントを示す情報である
ことを特徴とする請求項９に記載の方法。
【請求項１１】  前記無線通信装置のネットワークインターフェイスが使用可能な別のネットワーク接続ポイントへ当該無線通信装置がハンドオフしたときに、当該ネットワークインターフェイスをアクティブにするステップをさらに有する
ことを特徴とする請求項１に記載の方法。
【請求項１２】  無線通信装置において近接関係をモニタリングする方法において、
第１のネットワーク接続ポイントに収容されるエリアに在圏する無線通信装置が、第２のネットワーク接続ポイントへのハンドオフを実行したことを検知するステップと、
前記第１のネットワーク接続ポイントと前記第２のネットワーク接続ポイントとの近接関係情報を作成し、当該近接関係情報を記憶するステップと
を有することを特徴とする方法。
【請求項１３】  前記無線通信装置が前記ハンドオフを実行したときに、移動エージェントサーバへその旨を通知するステップをさらに有する
ことを特徴とする請求項１２に記載の方法。
【請求項１４】  前記第２のネットワーク接続ポイントへハンドオフしたことをネットワークオペレータサーバに通知するステップをさらに有する
ことを特徴とする請求項１３に記載の方法。
【請求項１５】  前記ネットワークオペレータサーバは、前記近接関係情報を作成する
ことを特徴とする請求項１４に記載の方法。
【請求項１６】  前記近接関係情報は、近接関係データベースに記憶されている
ことを特徴とする請求項１２に記載の方法。
【請求項１７】  前記無線通信装置にはグローバルアドレスが割り当てられ、前記ハンドオフが実行されているとき、前記無線通信端末は、前記グローバルアドレスを前記移動エージェントサーバに登録する
ことを特徴とする請求項１３に記載の方法。
【請求項１８】  前記近接関係情報は、ネットワークサービスオペレータにおいて保持される近接関係情報データベースに記憶され、前記登録の際には、前記移動エージェントサーバは、前記グローバルアドレスを前記ネットワークサービスオペレータに提供する
ことを特徴とする請求項１７に記載の方法。
【請求項１９】  少なくとも１つのネットワークインターフェイスを有する無線通信装置における近接関係情報を管理する方法において、
各々が、少なくとも１つのネットワーク接続ポイントを含む複数のアクセスネットワークを設けるステップと、
前記無線通信装置をネットワーク接続ポイントに接続するステップと、
前記無線通信装置が、前記ネットワーク接続ポイントに収容されるエリアから、ハンドオフ先としてハンドオフ可能な周辺のネットワーク接続ポイントを判定するステップと
を有することを特徴とする方法。
【請求項２０】  近接関係データベースを用いることにより、前記無線通信装置が、前記ネットワーク接続ポイントに収容されるエリアから、ハンドオフ先としてハンドオフ可能な周辺のネットワーク接続ポイントを判定するステップをさらに有する
ことを特徴とする請求項１９に記載の方法。
【請求項２１】  前記アクセスネットワークにおける各ネットワーク接続ポイントは、移動エージェントサーバに関連付けられている
ことを特徴とする請求項１９に記載の方法。
【請求項２２】  前記各移動エージェントサーバは、ネットワークオペレータサーバへ接続されていることを特徴とする請求項２１に記載の方法。
【請求項２３】  前記ネットワークオペレータサーバは、前記各ネットワークインターフェイスを節電モードに設定するために前記無線通信装置へ送信する信号を生成することを特徴とする請求項２２に記載の方法。
【請求項２４】  前記無線通信装置にはグローバルアドレスが割り当てられ、前記ハンドオフが実行されている間、前記無線通信装置はネットワーク接続ポイントから前記グローバルアドレスの登録を取り消し、前記グローバルアドレスを別のネットワーク接続ポイントに登録する
ことを特徴とする請求項１９に記載の方法。
【請求項２５】  各ネットワーク接続ポイントは、移動エージェントサーバに関連付けられており、前記登録の際に、前記別のネットワーク接続ポイントに関連付けられている前記移動エージェントサーバは、近接関係情報を作成し、当該近接関係情報をネットワークオペレータサーバに保持される近接関係データベースに記憶させる
ことを特徴とする請求項２４に記載の方法。
【請求項２６】  前記ハンドオフは、異なるアクセスネットワークのネットワーク接続ポイント間で発生する
ことを特徴とする請求項１乃至２５のいずれかに記載の方法。
【請求項２７】  無線通信システムにおける近接関係モニタリングシステムであって、
複数のネットワーク接続ポイントに接続するための、少なくとも１つのネットワークインターフェイスを有する無線通信装置と、
前記複数のネットワーク接続ポイントのうち、予め定められたネットワーク接続ポイントに関連付けられる少なくとも１つの移動エージェントサーバと、
各移動エージェントサーバに接続されるネットワークオペレータサーバと、
前記ネットワークオペレータサーバ上に設けられ、前記無線通信装置が特定のネットワーク接続ポイントに収容されるとき、前記無線通信装置上のいずれのネットワークインターフェイスをアクティブにするかを決定するために前記ネットワークオペレータサーバが使用する近接関係データベースと
を有することを特徴とする近接関係モニタリングシステム。
【請求項２８】  前記近接関係データベースは、前記無線通信システムおける各ネットワーク接続ポイントの接続性情報を有していることを特徴とする請求項２７に記載の近接関係モニタリングシステム。
【請求項２９】  前記接続性情報は、前記特定のネットワーク接続ポイントに収容されるエリア内から前記無線通信装置がハンドオフ先としてハンドオフ可能な各ネットワーク接続ポイントの情報であることを特徴とする請求項２８に記載の近接関係モニタリングシステム。
【請求項３０】  非アクティブ化されたネットワークインターフェイスは、前記通信装置により節電モードに設定されることを特徴とする請求項２７に記載の近接関係モニタリングシステム。
【請求項３１】  前記無線通信装置には、グローバルアドレスが割り当てられ、第１のネットワーク接続ポイントから第２のネットワーク接続ポイントへのハンドオフが実行されているとき、前記無線通信装置は、前記第１のネットワーク接続ポイントに関連付けられている移動エージェントサーバから前記グローバルネットワークの登録を取り消し、前記第２のネットワーク接続ポイントに関連付けられている移動エージェントサーバに前記グローバルアドレスを登録する
ことを特徴とする請求項２７に記載の近接関係モニタリングシステム。
【請求項３２】  前記登録に際して、前記第２のネットワーク接続ポイントに関連付けられている前記移動エージェントサーバは、前記グローバルアドレスを、前記ネットワークオペレータサーバに提供する
ことを特徴とする請求項３１に記載の近接関係モニタリングシステム。
【請求項３３】  前記第１と第２のネットワーク接続ポイントは、異なるアクセスネットワークに関連付けられている
ことを特徴とする請求項３２に記載の近接関係モニタリングシステム。